(57)【特許請求の範囲】
【請求項１】
電子機器へ電力を供給するための給電装置であって、
電子機器の背面に接するための面である台座面を有する台座部と、
前記台座部の前記台座面上に前記電子機器が配置された場合に、前記台座面に対する平面視において前記電子機器の縁を形成する周縁部に接するように構成された壁部と、
前記台座部に収容されたバッテリと、
を備え、
前記壁部は、前記台座面に対する平面視において、互いに異なる２個以上の位置で前記電子機器の前記周縁部に接触するように構成され、
前記壁部は、前記給電装置の状態を表示する表示部と、前記給電装置を制御するための操作部と、の少なくとも一方を有する、
給電装置。
【請求項２】
請求項１に記載の給電装置であって、
前記壁部は、前記壁部内にバッテリを収容するための収容室を有している、
給電装置。
【請求項３】
電子機器へ電力を供給するための給電装置であって、
電子機器の背面に接するための面である台座面を有する台座部と、
前記台座部の前記台座面上に前記電子機器が配置された場合に、前記台座面に対する平面視において前記電子機器の縁を形成する周縁部に接するように構成された壁部と、
前記台座部に収容されたバッテリと、
を備え、
前記壁部は、前記台座面に対する平面視において、互いに異なる２個以上の位置で前記電子機器の前記周縁部に接触するように構成され、
前記壁部は、前記壁部内にバッテリを収容するための収容室を有している、
給電装置。
【請求項４】
電子機器へ電力を供給するための給電装置であって、
電子機器の背面に接するための面である台座面を有する台座部と、
前記台座部の前記台座面上に前記電子機器が配置された場合に、前記台座面に対する平面視において前記電子機器の縁を形成する周縁部に接するように構成された壁部と、
前記台座部に収容されたバッテリと、
を備え、
前記壁部は、前記台座面に対する平面視において、互いに異なる２個以上の位置で前記電子機器の前記周縁部に接触するように構成され、
前記給電装置は、１個以上の前記壁部を備え、
前記台座部は、前記１個以上の壁部の少なくとも１個を、前記台座部の前記台座面から離れる方向側に突出した第１状態と、前記第１状態と比べて突出量が小さい第２状態と、の間で移動可能に支持する第１支持部を備える、
給電装置。
【請求項５】
請求項１から３のいずれかに記載の給電装置であって、
前記台座部は、前記壁部を前記台座部に着脱可能に取り付ける取り付け部を備える、
給電装置。
【請求項６】
請求項１から３のいずれかに記載の給電装置であって、
１個以上の前記壁部を備え、
前記台座部は、前記１個以上の壁部の少なくとも１個を、前記台座部の前記台座面から離れる方向側に突出した第１状態と、前記第１状態と比べて突出量が小さい第２状態と、の間で移動可能に支持する第１支持部を備える、
給電装置。
【請求項７】
請求項１から６のいずれかに記載の給電装置であって、
前記電子機器の外形は、略直方体であり、
前記台座面に対する前記平面視において、前記電子機器の前記周縁部は、４個の辺部と４個の角部とを含み、
前記壁部は、前記電子機器の前記周縁部のうち、１個の辺部に、または、１個の角部を介して互いに接続された２個の辺部に、接するように構成されている、
給電装置。
【請求項８】
請求項１から７のいずれかに記載の給電装置であって、
前記壁部のうちの前記電子機器の前記周縁部に接する部分の少なくとも一部には、滑り止め機能を備える滑り止め部が設けられている、
給電装置。
【請求項９】
請求項１から８のいずれかに記載の給電装置であって、
前記台座部の前記台座面側とは反対側に位置するように構成された、手の指を掛けることが可能な凸部分と凹部分とリング状の部分との少なくとも１つを含む指掛け部を備える、
給電装置。
【請求項１０】
請求項９に記載の給電装置であって、
１個以上の前記指掛け部を備え、
前記台座部は、前記１個以上の指掛け部の少なくとも１個を、前記台座部の前記台座面とは反対側の面から離れる方向側に突出した第３状態と、前記第３状態と比べて突出量が小さい第４状態と、の間で移動可能に支持する第２支持部を備える、
給電装置。
【発明の詳細な説明】
【技術分野】
【０００１】
本開示は、電子機器に電力を供給する給電装置に関する。
【背景技術】
【０００２】
スマートフォンや音楽プレイヤーなどの電子機器に電力を供給するために、給電装置が用いられている。給電装置としては、種々のものが提案されている。例えば、電子機器と給電装置とを、ケーブル（例えば、ＵＳＢケーブル）で接続する技術が提案されている。また、電子機器のケースとして、バッテリを備えるケースが提案されている。また、電子機器を吸着するための吸盤を備える給電装置が提案されている。
【先行技術文献】
【特許文献】
【０００３】
【特許文献１】特開２０１３−１０４９８６号公報
【特許文献２】特表２０１３−５２９３６５号公報
【特許文献３】特開２０１２−２２６６７９号公報
【特許文献４】実用新案登録第３１８７１９３号公報
【発明の概要】
【発明が解決しようとする課題】
【０００４】
電子機器のケースの大きさと形状とは、そのケースに対応付けられた電子機器の機種に合わせて形成されている。従って、バッテリを備えるケースを、電子機器の他の機種に適用することは、難しかった。また、電子機器の機種に依存しない汎用の給電装置を用いる場合には、電子機器と給電装置とを固定することが難しかった。従って、電子機器と給電装置とを手に持つ場合に、電子機器と給電装置との相対的な位置関係が、不安定であった。
【０００５】
本開示は、電子機器と給電装置とを手で持つ場合に、電子機器と給電装置との相対的な位置関係を安定化できる技術を開示する。
【課題を解決するための手段】
【０００６】
本開示は、例えば、以下の適用例を開示する。
【０００７】
［適用例１］
電子機器へ電力を供給するための給電装置であって、
電子機器の背面に接するための面である台座面を有する台座部と、
前記台座部の前記台座面上に前記電子機器が配置された場合に、前記台座面に対する平面視において前記電子機器の縁を形成する周縁部に接するように構成された壁部と、
前記台座部に収容されたバッテリと、
を備え、
前記壁部は、前記台座面に対する平面視において、互いに異なる２個以上の位置で前記電子機器の前記周縁部に接触するように構成されている、
給電装置。
【０００８】
この構成によれば、壁部は、台座面の平面視において、互いに異なる２個以上の位置で電子機器の周縁部に接触するように構成されているので、電子機器を壁部と台座面とに接触させることによって、台座面上に安定的に配置できる。従って、電子機器と給電装置とを手で持つ場合に、電子機器と給電装置との相対的な位置関係を、電子機器の機種に拘わらずに、安定化できる。
【０００９】
［適用例２］
適用例１に記載の給電装置であって、
前記電子機器の外形は、略直方体であり、
前記台座面に対する前記平面視において、前記電子機器の前記周縁部は、４個の辺部と４個の角部とを含み、
前記壁部は、前記電子機器の前記周縁部のうち、１個の辺部に、または、１個の角部を介して互いに接続された２個の辺部に、接するように構成されている、
給電装置。
【００１０】
この構成によれば、壁部は、電子機器の周縁部のうち、１個の辺部に、または、１個の角部を介して互いに接続された２個の辺部に、接するように構成されているので、互いに大きさや形状が異なる種々の電子機器を、壁部と台座面とに接触させることによって、台座面上に安定的に配置できる。従って、電子機器と給電装置とを手で持つ場合に、電子機器と給電装置との相対的な位置関係を、電子機器の機種に拘わらずに、安定化できる。
【００１１】
［適用例３］
適用例１または２に記載の給電装置であって、
前記台座部は、前記壁部を前記台座部に着脱可能に取り付ける取り付け部を備える、
給電装置。
【００１２】
この構成によれば、壁部を台座部から取り外すことによって、給電装置を運ぶ場合の可搬性を向上できる。また、ユーザは、壁部を、好みの他の種類の壁部に、容易に交換できる。
【００１３】
［適用例４］
適用例１または２に記載の給電装置であって、
１個以上の前記壁部を備え、
前記台座部は、前記１個以上の壁部の少なくとも１個を、前記台座部の前記台座面から離れる方向側に突出した第１状態と、前記第１状態と比べて突出量が小さい第２状態と、の間で移動可能に支持する第１支持部を備える、
給電装置。
【００１４】
この構成によれば、壁部の状態を第１状態にすることによって、壁部は電子機器の周縁部に適切に接することができる。また、壁部の状態を第２状態にすることによって、給電装置を運ぶ場合の可搬性を向上できる。
【００１５】
［適用例５］
適用例１から４のいずれかに記載の給電装置であって、
前記壁部のうちの前記電子機器の前記周縁部に接する部分の少なくとも一部には、滑り止め機能を備える滑り止め部が設けられている、
給電装置。
【００１６】
この構成によれば、壁部に対して電子機器が滑ることが抑制されるので、電子機器と給電装置とを手で持つ場合の安定性を、更に、向上できる。
【００１７】
［適用例６］
適用例１から５のいずれかに記載の給電装置であって、
前記壁部は、前記給電装置の状態を表示する表示部と、前記給電装置を制御するための操作部と、の少なくとも一方を有する、
給電装置。
【００１８】
この構成によれば、台座面が電子機器に隠れている場合であっても、給電装置の状態の確認と、給電装置を制御するための操作と、の少なくとも一方が可能である。
【００１９】
［適用例７］
適用例１から６のいずれかに記載の給電装置であって、
前記壁部は、前記壁部内にバッテリを収容するための収容室を有している、
給電装置。
【００２０】
この構成によれば、台座部に収容されたバッテリが切れた場合であっても、壁部に収容されたバッテリを用いることができる。
【００２１】
［適用例８］
適用例１から７のいずれかに記載の給電装置であって、
前記台座部の前記台座面側とは反対側に位置するように構成された、手の指を掛けることが可能な凸部分と凹部分とリング状の部分との少なくとも１つを含む指掛け部を備える、
給電装置。
【００２２】
この構成によれば、ユーザは、指掛け部に指をかけることができるので、電子機器と給電装置とを手で持つ場合に、電子機器と給電装置との相対的な位置関係を、電子機器の機種に拘わらずに、更に安定化できる。
【００２３】
［適用例９］
適用例８に記載の給電装置であって、
１個以上の前記指掛け部を備え、
前記台座部は、前記１個以上の指掛け部の少なくとも１個を、前記台座部の前記台座面とは反対側の面から離れる方向側に突出した第３状態と、前記第３状態と比べて突出量が小さい第４状態と、の間で移動可能に支持する第２支持部を備える、
給電装置。
【００２４】
この構成によれば、指掛け部の状態を第３状態にすることによって、ユーザは、指掛け部に、容易に指をかけることができる。また、指掛け部の状態を第４状態にすることによって、給電装置を運ぶ場合の可搬性を向上できる。
【図面の簡単な説明】
【００２５】
【図１】第１実施例の給電装置を示す説明図である。
【図２】給電装置１００の電気的な構成を示すブロック図である。
【図３】給電装置１００の使用状態の例を示す説明図である。
【図４】第２実施例の給電装置１００ａの概略図である。
【図５】第３実施例の給電装置１００ｂの概略図である。
【図６】第４実施例の給電装置１００ｃの概略図である。
【図７】第５実施例の給電装置１００ｄの概略図である。
【図８】第６実施例の給電装置１００ｅの概略図である。
【図９】第７実施例の給電装置１００ｆの概略図である。
【図１０】第８実施例の給電装置１００ｇの斜視図である。
【図１１】第９実施例の給電装置１００ｈの概略図である。
【図１２】第１０実施例の給電装置１００ｉの概略図である。
【図１３】第１１実施例の給電装置１００ｊの斜視図である。
【図１４】第１２実施例の給電装置１００ｋの斜視図である。
【図１５】第１３実施例の給電装置１００ｍの概略図である。
【図１６】第１４実施例の給電装置１００ｎの概略図である。
【発明を実施するための形態】
【００２６】
Ａ．第１実施例：
図１は、一実施例としての給電装置を示す説明図である。図１（Ａ）は、給電装置１００の斜視図を示している。給電装置１００は、スマートフォンやタブレットコンピュータなどの電子機器に電力を供給する装置である。図中の方向ＤＵ、ＤＤ、ＤＲ、ＤＬ、ＤＦ、ＤＢを示す矢印は、給電装置１００の台座部１１０の向きを示している。本実施例では、給電装置１００は、前面方向ＤＦに垂直な略矩形の平板状の台座部１１０と、台座部１１０の左方向ＤＬ側の縁部分に固定された壁部１５０と、を含んでいる。台座部１１０と壁部１５０とは、例えば、樹脂で形成されている。図中において、左方向ＤＬと、左方向ＤＬの反対の右方向ＤＲとは、略矩形の台座部１１０の短辺に平行な方向であり、前面方向ＤＦに垂直である。下方向ＤＤと、下方向ＤＤに反対の上方向ＤＵとは、略矩形の台座部１１０の長辺に平行な方向であり、前面方向ＤＦと左方向ＤＬとに垂直である。背面方向ＤＢは、前面方向ＤＦに反対の方向である。図１（Ｂ）は、給電装置１００の背面方向ＤＢ側の面を示し、図１（Ｃ）は、給電装置１００の左方向ＤＬ側の面を示し、図１（Ｄ）は、給電装置１００の前面方向ＤＦ側の面を示し、図１（Ｅ）は、給電装置１００の上方向ＤＵ側の面を示している。
【００２７】
台座部１１０は、台座部１１０の外面を形成する外壁１１９を備えている。図１（Ｂ）、図１（Ｅ）に示すように、外壁１１９のうち、台座部１１０の背面方向ＤＢ側の面である背面１１２を形成する部分は、給電装置１００を持ちやすくするための凹部１１５を形成している（ただし、凹部１１５が、省略されてもよい）。また、図１（Ａ）に示すように、外壁１１９に囲まれた空間内には、充電可能なバッテリ２１０と、給電回路２２０と、充電回路２４０と、が収容されている。図２は、給電装置１００の電気的な構成を示すブロック図である。給電装置１００は、バッテリ２１０と、バッテリ２１０に接続された給電回路２２０および充電回路２４０と、給電回路２２０に接続された給電スイッチ２２５と、給電接続部２３０と、給電接続部２３０と給電回路２２０とを接続するケーブル２３２と、充電回路２４０に接続された表示部２４５および充電接続部２５０と、を備えている。
【００２８】
給電接続部２３０は、図示しない電子機器の充電用のレセプタクルに接続されるプラグである（例えば、ＵＳＢのマイクロＢのプラグ、または、タイプＣのプラグ）。図１（Ｃ）に示すように、給電装置１００の左方向ＤＬ側の面である左面１０３には、右方向ＤＲに向かって凹んだ凹部１０５が形成されている。ケーブル２３２の一部と給電接続部２３０とは、この凹部１０５内に嵌め込まれている。給電接続部２３０は、凹部１０５から引き出されて、電子機器に接続される。給電スイッチ２２５（図２）は、電子機器への給電を開始するためのスイッチである。給電回路２２０は、ユーザによって給電スイッチ２２５が押されたことに応じて、バッテリ２１０からの電力を用いて、ケーブル２３２と給電接続部２３０とを通じて、所定の出力電圧で、電力を電子機器に供給する。このような給電回路２２０の構成としては、公知の種々の構成を採用可能である（例えば、ＤＣ−ＤＣコンバータを含む構成）。図１（Ａ）、図１（Ｄ）に示すように、給電スイッチ２２５は、壁部１５０の前面方向ＤＦ側の面である前面１５１に設けられている。なお、給電接続部２３０は、給電装置１００と電子機器とを接続するケーブルのプラグを受け入れるレセプタクルであってもよい。
【００２９】
充電接続部２５０（図２）は、給電装置１００に所定の入力電圧で電力を供給する装置（例えば、ＡＣアダプタ）と、給電装置１００とを、接続するケーブルのプラグを受け入れるレセプタクルである（例えば、ＵＳＢのマイクロＢのレセプタクル、または、タイプＣのレセプタクル）。充電回路２４０は、充電接続部２５０に所定電圧で電力が供給されたことに応じて、供給された電力を用いてバッテリ２１０を充電する。このような充電回路２４０の構成としては、公知の種々の構成を採用可能である（例えば、ＤＣ−ＤＣコンバータを含む構成）。図１（Ｃ）に示すように、充電接続部２５０は、給電装置１００の左面１０３に設けられている。表示部２４５（図２）は、バッテリ２１０の残量を示す複数のＬＥＤ（発光ダイオード）を含んでいる。点灯しているＬＥＤの総数が多いほど、残量が多い。本実施例では、充電回路２４０が、表示部２４５を制御している。ただし、給電回路２２０が表示部２４５を制御してもよい。図１（Ａ）、図１（Ｄ）に示すように、表示部２４５は、壁部１５０の前面１５１に設けられている。
【００３０】
壁部１５０は、図１（Ａ）、図１（Ｅ）に示すように、台座部１１０の前面方向ＤＦ側の面である台座面１１１から前面方向ＤＦ側に突出しており、台座面１１１の上方向ＤＵ側の端部から下方向ＤＤ側の端部まで延びる略直方体の壁部である。壁部１５０は、壁部１５０の右方向ＤＲ側の面である右面１５４に固定された滑り止め部３００を含んでいる。後述するように、滑り止め部３００には、電子機器が接触する。滑り止め部３００は、例えば、シリコーンで形成されている。
【００３１】
図３は、給電装置１００の使用状態の例を示す説明図である。図３（Ａ）、図３（Ｂ）は、給電装置１００に対する電子機器９００の配置の例を示している。図３（Ａ）は、斜視図であり、図３（Ｂ）は、下方向ＤＤを向いて見た装置１００、９００を示している。この電子機器９００は、例えば、スマートフォンである。本実施例では、電子機器９００の外形は、略直方体であり、具体的には、角が丸められた平板形状である。電子機器９００の２つの大きな略矩形状の面のうちの１つの面９０１（「前面９０１」とも呼ぶ）には、画像を表示するためのディスプレイ９１０と、ボタン９２０と、が設けられている。電子機器９００の反対側の面９０２（「背面９０２」とも呼ぶ）は、台座部１１０の台座面１１１上に載っている。
【００３２】
図３（Ｃ）は、ユーザが、図３（Ａ）、図３（Ｂ）のように配置された給電装置１００と電子機器９００とを手に持った状態の例を示す概略図である。図中には、背面方向ＤＢを向いて見た給電装置１００と電子機器９００と手とが示されている。図中の周縁部９９０は、台座面１１１に対する平面視において（すなわち、台座面１１１に垂直な方向（例えば、背面方向ＤＢ）を向いて見た場合に）、電子機器９００の縁を形成する部分である。電子機器９００の外形は、角が丸められた略直方体であるので、周縁部９９０は、図３（Ｃ）に示すように、４個の辺部９９１、９９２、９９３、９９４と、４個の角部９９５、９９６、９９７、９９８と、で構成されている。周縁部９９０のうちの壁部１５０側の辺部９９３は、壁部１５０の滑り止め部３００に接触している。給電装置１００の給電接続部２３０は、電子機器９００のレセプタクル９８０に接続されている。このように、電子機器９００は、台座部１１０の前面方向ＤＦ側に重ねられ、そして、電子機器９００の周縁部９９０の辺部９９３は、壁部１５０に支えられる。
【００３３】
図３（Ｃ）の例では、ユーザは、重ねられた給電装置１００と電子機器９００とを、片手で持っている。手の平は、給電装置１００（ここでは、台座部１１０）の背面１１２を支えている。指は、給電装置１００の左方向ＤＬ側の左面１０３と、電子機器９００の周縁部９９０のうちの右方向ＤＲ側の辺部９９４と、に接触した状態で、給電装置１００と電子機器９００とを掴んでいる。これにより、電子機器９００は、背面９０２が台座部１１０の台座面１１１に支持された状態で、壁部１５０の右面１５４に押しつけられる。給電装置１００に対する電子機器９００の背面方向ＤＢの相対位置は、台座部１１０によって決まり、左方向ＤＬの相対位置は、壁部１５０によって決まる。壁部１５０の右面１５４（滑り止め部３００を含む）は、下方向ＤＤに沿って延びており、下方向ＤＤの位置が互いに異なる複数の位置で、電子機器９００に接触している。この結果、給電装置１００と電子機器９００とを手で持つ場合に、給電装置１００と電子機器９００との相対的な位置関係を、安定化できる。
【００３４】
また、壁部１５０のうちの電子機器９００の周縁部９９０に接する部分の一部には、滑り止め部３００が設けられている。従って、壁部１５０に対して電子機器９００が滑ることが抑制される。この結果、給電装置１００と電子機器９００とを手で持つ場合の安定性を、更に、向上できる。
【００３５】
また、壁部１５０は、給電装置１００のバッテリ２１０の残量を表す表示部２４５と、給電装置１００の給電回路２２０を制御するための給電スイッチ２２５と、を有している。従って、ユーザは、台座部１１０の台座面１１１が電子機器９００に隠れている場合であっても、充電レベルを確認でき、また、給電を制御できる。
【００３６】
図３（Ｄ）は、同じ給電装置１００と、電子機器の別の機種と、を用いる場合を示している。図中には、図３（Ｃ）と同様に、給電装置１００と電子機器９００ａとを手に持った状態の例が示されている。この電子機器９００ａの外形は、略直方体であり、角が丸められた平板形状である。また、電子機器９００ａは、図３（Ｃ）の電子機器９００と比べて小さく、また、電子機器９００ａの長辺と短辺との比率は、電子機器９００の長辺と短辺との比率と異なっている。このように大きさと形とが異なる電子機器９００ａを用いる場合にも、図３（Ｃ）の例と同様に、ユーザは、台座部１１０の台座面１１１上に電子機器９００ａを重ね、電子機器９００ａの周縁部９９０ａのうち左方向ＤＬ側の辺部９９３ａを壁部１５０の右面１５４に接触させることによって、安定的に給電装置１００と電子機器９００ａとを持つことができる。このように、給電装置１００の壁部１５０は、台座部１１０の一方向側（ここでは、左方向ＤＬ側）の部分のみに設けられている。これにより、壁部１５０は、大きさと形状が異なる電子機器９００、９００ａを台座部１１０の台座面１１１上に配置する場合に、電子機器９００、９００ａの周縁部９９０、９９０ａのうち、１個の辺部９９３、９９３ａのみに接触する。この結果、電子機器と給電装置１００とを手で持つ場合に、電子機器と給電装置１００との相対的な位置関係を、電子機器の機種に拘わらずに、安定化できる。
【００３７】
Ｂ．第２実施例：
図４は、第２実施例の給電装置１００ａの概略図である。図中には、図１（Ａ）と同様の斜視図が示されている。図１（Ａ）の給電装置１００との差異は、台座部１１０の下方向ＤＤ側の部分に、第２壁部１９０が設けられている点だけである。第２壁部１９０は、台座部１１０の台座面１１１から前面方向ＤＦ側に突出する略直方体の壁部である。給電装置１００ａの他の部分の構成は、第１実施例の給電装置１００の対応する部分の構成と同じである（対応する要素と同じ要素には、同じ符号を付して、説明を省略する）。以下、壁部１５０を、第１壁部１５０とも呼ぶ。
【００３８】
図中の点線で示される四角形は、電子機器９００を簡略化して示したものである。第２実施例では、電子機器９００が台座部１１０の台座面１１１上に載った状態で、左方向ＤＬの辺部９９３が、第１壁部１５０の右面１５４に接触し、さらに、下方向ＤＤの辺部９９２が、第２壁部１９０の上方向ＤＵ側の面に接触する。このように、壁部１５０、１９０は、周縁部９９０のうちの１個の角部９９７を介して接続された２個の辺部９９３、９９２に接触するように、構成されている。給電装置１００ａに対する電子機器９００の背面方向ＤＢの相対位置は、台座部１１０によって決まり、左方向ＤＬの相対位置は、第１壁部１５０によって決まり、下方向ＤＤの相対位置は、第２壁部１９０によって決まる。このように、３つの方向の相対位置が決まるので、給電装置１００ａと電子機器９００とを手で持つ場合に、給電装置１００ａと電子機器９００との相対的な位置関係を、安定化できる。
【００３９】
なお、図３（Ｄ）の電子機器９００ａのように、電子機器９００と大きさと形とが異なる電子機器を用いる場合にも、図４の例と同様に、ユーザは、電子機器９００ａの背面と２個の辺部とを、台座部１１０と壁部１５０、１９０とに接触させることによって、安定的に給電装置１００ａと電子機器９００ａとを持つことができる。
【００４０】
このように、給電装置１００ａの壁部１５０、１９０は、台座部１１０の一方向側（ここでは、左方向ＤＬ側）の部分と、その方向に直交する方向側（ここでは、下方向ＤＤ側）の部分と、のみに設けられている。これにより、壁部１５０、１９０は、大きさと形状が互いに異なる電子機器９００または電子機器９００ａを台座部１１０の台座面１１１上に配置する場合に、電子機器９００、９００ａのそれぞれの周縁部９９０、９９０ａのうち、１個の角部９９７を介して互いに接続された２個の辺部９９３、９９２、または、１個の角部９９７ａを介して互いに接続された２個の辺部９９３ａ、９９２ａのみに接触する。この結果、電子機器と給電装置１００ａとを手で持つ場合に、電子機器と給電装置１００ａとの相対的な位置関係を、電子機器の機種に拘わらずに、安定化できる。
【００４１】
Ｃ．第３実施例：
図５は、第３実施例の給電装置１００ｂの概略図である。この給電装置１００ｂは、台座部１１０ｂと壁部１５０ｂとを有している。図１（Ａ）の第１実施例とは異なり、壁部１５０ｂは、台座部１１０ｂに対して、着脱可能である。図５（Ａ）は、壁部１５０ｂと台座部１１０ｂとが分離した状態を示す斜視図である。図中の方向ＤＵ、ＤＤ、ＤＲ、ＤＬ、ＤＦ、ＤＢを示す矢印は、台座部１１０ｂの向きを示している。壁部１５０ｂに関しては、背面方向ＤＢ側の面を示す斜視図（別の方向から見た斜視図）が示されている。壁部１５０ｂは、一部の角が丸められた略直方体の棒状の部材である。図１（Ａ）の壁部１５０とは異なり、壁部１５０ｂの長さは、台座部１１０ｂの下方向ＤＤに平行な方向の長さよりも短く、また、台座部１１０ｂの右方向ＤＲに平行な方向の長さよりも短い。壁部１５０ｂの背面方向ＤＢ側の面には、背面方向ＤＢに向かって突出する２個の突出部１５９が設けられている。２個の突出部１５９は、壁部１５０ｂの長手方向に沿って並ぶように、配置されている。壁部１５０ｂの右面１５４ｂには、滑り止め部３００が設けられている。
【００４２】
台座部１１０ｂの台座面１１１ｂには、壁部１５０ｂを着脱可能に取り付けるための背面方向ＤＢに向かって凹んだ２個の第１凹部１１３と２個の第２凹部１１４とが形成されている。２個の第１凹部１１３は、台座面１１１ｂ上の左方向ＤＬ側の縁の近くに、縁に沿って並ぶように（すなわち、下方向ＤＤに沿って並ぶように）配置されている。２個の第２凹部１１４は、台座面１１１ｂの下方向ＤＤ側の縁の近くに、縁に沿って並ぶように（すなわち、右方向ＤＲに沿って並ぶように）配置されている。壁部１５０ｂの２個の突出部１５９は、２個の第１凹部１１３に嵌めることができ、また、２個の第２凹部１１４に嵌めることもできる。このように、２個の第１凹部１１３と２個の第２凹部１１４とは、それぞれ、壁部１５０ｂを着脱可能に取り付けるための取り付け部の例である、ということができる。
【００４３】
なお、本実施例では、給電接続部２３０ｂと充電接続部２５０と給電スイッチ２２５と表示部２４５とは、台座部１１０ｂに設けられている。給電接続部２３０ｂは、給電装置１００ｂと電子機器とを接続するケーブルのプラグを受け入れるレセプタクルである。給電接続部２３０ｂと充電接続部２５０とは、台座部１１０ｂの下方向ＤＤ側の面に設けられている。給電スイッチ２２５と表示部２４５とは、台座部１１０ｂの台座面１１１ｂ上に設けられている。給電スイッチ２２５と表示部２４５との位置は、台座部１１０ｂに壁部１５０ｂが取り付けられた場合に壁部１５０ｂに隠れない位置に、設けられている。給電装置１００ｂの電気的な構成は、図２の構成と同じである。また、給電装置１００ｂの他の部分の構成は、第１実施例の給電装置１００の対応する部分の構成と同じである（対応する要素と同じ要素には、同じ符号を付して、説明を省略する）。
【００４４】
図５（Ｂ）は、壁部１５０ｂの２個の突出部１５９を、台座部１１０ｂの２個の第１凹部１１３に嵌めた状態を示す斜視図である。この状態で、壁部１５０ｂは、台座面１１１ｂの左方向ＤＬ側の縁部分に固定されており、台座面１１１ｂから前面方向ＤＦ側に突出している。壁部１５０ｂは、下方向ＤＤに沿って、すなわち、台座部１１０ｂの長辺に平行な方向に沿って、延びている。図中の点線で示される四角形は、電子機器９００を簡略化して示したものである。給電装置１００ｂの給電接続部２３０ｂと電子機器９００とは、ケーブル２３２ｘで接続されている。図５（Ｂ）の状態では、電子機器９００が台座部１１０ｂの台座面１１１ｂ上に載った状態で、電子機器９００の左方向ＤＬ側の辺部９９３が、壁部１５０ｂの右面１５４ｂに接触する。この状態は、図３（Ａ）、図３（Ｂ）で説明した状態と同じである。ユーザは、図３（Ｃ）のように給電装置１００ｂと電子機器９００とを手に持つことができる。この結果、第３実施例では、第１実施例と同様に、給電装置１００ｂと電子機器９００とを手で持つ場合に、給電装置１００ｂと電子機器９００との相対的な位置関係を、安定化できる。
【００４５】
図５（Ｃ）は、壁部１５０ｂの２個の突出部１５９を、台座部１１０ｂの２個の第２凹部１１４に嵌めた状態を示す斜視図である。この状態で、壁部１５０ｂは、台座面１１１ｂの下方向ＤＤ側の縁部分に固定されており、台座面１１１ｂから前面方向ＤＦ側に突出している。壁部１５０ｂは、右方向ＤＲに沿って、すなわち、台座部１１０ｂの短辺に平行な方向に沿って、延びている。図中の点線で示される四角形は、電子機器の別の機種（電子機器９００ｂ）を簡略化して示したものである。詳細な図示を省略するが、この電子機器９００ｂの外形は、略直方体であり、角が丸められた平板形状である。また、電子機器９００ｂは、図５（Ｂ）の電子機器９００と比べて大きく、また、電子機器９００ｂの長辺と短辺との比率は、電子機器９００の長辺と短辺との比率と異なっている。
【００４６】
図５（Ｃ）の例では、壁部１５０ｂは、電子機器９００ｂの周縁部９９０ｂのうちの長辺に対応する長辺部９９３ｂのおよそ中央部分に接触している。そして、台座部１１０ｂの長辺が、電子機器９００ｂの周縁部９９０ｂの短辺に対応する短辺部９９１ｂ、９９２ｂに平行である。従って、壁部１５０ｂが電子機器９００ｂの短辺部９９１ｂ、９９２ｂのいずれかに接触している場合と比べて、台座部１１０ｂの上方向ＤＵ側の端部１１８ｂと電子機器９００ｂの上方向ＤＵ側の長辺部９９４ｂとの間の距離Ｌを小さくできる。この結果、ユーザは、給電装置１００ｂの台座部１１０ｂに電子機器９００ｂを重ねた状態で、給電装置１００ｂと電子機器９００ｂとの両方を、容易に手で持つことができる。
【００４７】
このように、本実施例では、台座部１１０ｂは、壁部１５０ｂを着脱可能に取り付ける２個の第１凹部１１３と２個の第２凹部１１４とを有している。従って、台座部１１０ｂから壁部１５０ｂを取り外すことによって、給電装置１００ｂを運ぶ場合の可搬性を向上できる。
【００４８】
また、台座部１１０ｂは、台座部１１０ｂの台座面１１１ｂのうちの一方向側（ここでは、左方向ＤＬ側）の部分に形成された凹部１１３と、その方向に直交する方向側（ここでは、下方向ＤＤ側）の部分に形成された凹部１１４と、を備えている。ユーザは、これらの凹部１１３、１１４から任意に選択された凹部に壁部１５０ｂを取り付けることができる。ユーザは、台座面１１１ｂに対する壁部１５０ｂの位置を、電子機器の大きさと形状に応じて選択できるので、電子機器と給電装置１００ｂとを手で持つ場合に、電子機器と給電装置１００ｂとの相対的な位置関係を、電子機器の機種に拘わらずに、安定化できる。
【００４９】
なお、２個の壁部１５０ｂを準備して、２個の第１凹部１１３と２個の第２凹部１１４との両方に壁部１５０ｂを取り付けてもよい。また、２個の第１凹部１１３と、２個の第２凹部１１４と、のうちのいずれか一方が省略されてもよい。
【００５０】
Ｄ．第４実施例：
図６は、第４実施例の給電装置１００ｃの概略図である。図５の給電装置１００ｂとの差異は、壁部１５０ｂが、端部を凹部１１３、１１４に嵌めることができる円柱状の壁部１５０ｃに置換されている点だけである。給電装置１００ｃの他の部分の構成は、図５の給電装置１００ｂの対応する部分の構成と同じである（対応する要素と同じ要素には、同じ符号を付して、説明を省略する）。
【００５１】
図６（Ａ）は、壁部１５０ｃと台座部１１０ｂとが分離した状態を示す斜視図である。図６（Ｂ）は、台座部１１０ｂの４個の凹部１１３、１１４のそれぞれに壁部１５０ｃが取り付けられた状態を示す斜視図である。４個の壁部１５０ｃのそれぞれは、台座面１１１ｂから前面方向ＤＦ側に突出している。図中の点線で示される四角形は、電子機器９００を簡略化して示したものである。図６（Ｃ）は、給電装置１００ｃと、台座部１１０ｂ上に重ねられた電子機器９００とを、背面方向ＤＢを向いて見た概略図である。給電装置１００ｃの給電接続部２３０ｂと電子機器９００とは、ケーブル２３２ｘで接続されている。
【００５２】
電子機器９００の左方向ＤＬ側の辺部９９３は、２個の第１凹部１１３に嵌め込まれた２個の壁部１５０ｃに接触している。電子機器９００の下方向ＤＤ側の辺部９９２は、２個の第２凹部１１４に嵌め込まれた２個の壁部１５０ｃに接触している。これにより、図４の実施例と同様に、給電装置１００ｃに対する電子機器９００の互いに直交する３つの方向ＤＬ、ＤＤ、ＤＢの相対的な位置が決まるので、給電装置１００ｃと電子機器９００とを手で持つ場合に、給電装置１００ｃと電子機器９００との相対的な位置関係を、安定化できる。
【００５３】
なお、図３（Ｄ）の電子機器９００ａのように、電子機器９００と大きさと形とが異なる電子機器を用いる場合にも、図６（Ｃ）の例と同様に、ユーザは、電子機器９００ａの背面と２個の辺部とを、台座部１１０ｂと壁部１５０ｃとに接触させることによって、安定的に給電装置１００ｃと電子機器９００ａとを持つことができる。
【００５４】
このように、給電装置１００ｃの壁部１５０ｃは、台座部１１０ｂの一方向側（ここでは、左方向ＤＬ側）の部分と、その方向に直交する方向側（ここでは、下方向ＤＤ側）の部分と、のみに設けられている。これにより、壁部１５０ｃは、大きさと形状が互いに異なる電子機器９００（図６（Ｃ））または電子機器９００ａ（図３（Ｄ））を台座部１１０ｂの台座面１１１ｂ上に配置する場合に、電子機器９００、９００ａのそれぞれの周縁部９９０、９９０ａのうち、１個の角部９９７を介して互いに接続された２個の辺部９９３、９９２、または、１個の角部９９７ａを介して互いに接続された２個の辺部９９３ａ、９９２ａのみに接触する。この結果、電子機器と給電装置１００とを手で持つ場合に、電子機器と給電装置１００との相対的な位置関係を、電子機器の機種に拘わらずに、安定化できる。
【００５５】
また、台座部１１０ｂは、壁部１５０ｃを着脱可能に取り付ける２個の第１凹部１１３と２個の第２凹部１１４とを有している。従って、台座部１１０ｂから壁部１５０ｃを取り外すことによって、給電装置１００ｃを運ぶ場合の可搬性を向上できる。
【００５６】
また、図６（Ｃ）に示すように、給電スイッチ２２５と表示部２４５とは、台座部１１０ｂの台座面１１１ｂ上のうちの電子機器に隠れない部分に設けられている。従って、ユーザは、給電装置１００ｃに電子機器を重ねた状態で、給電スイッチ２２５を操作でき、また、表示部２４５を観察できる。
【００５７】
なお、２個の第１凹部１１３と、２個の第２凹部１１４と、のいずれか一方のみに、２個の壁部１５０ｃを設けてもよい。また、２個の第１凹部１１３のうちの１個を省略してもよい。また、２個の第２凹部１１４のうちの１個を省略してもよい。また、２個の第１凹部１１３と、２個の第２凹部１１４と、のうちのいずれか一方を省略してもよい。
【００５８】
Ｅ．第５実施例と第６実施例：
図７は、第５実施例の給電装置１００ｄの概略図である。図５、図６の給電装置１００ｂ、１００ｃとの差異は、壁部１５０ｂ、１５０ｃと凹部１１３、１１４とが省略され、この代わりに、壁部１５１ｄ、１５２ｄが、ヒンジ１６０によって台座部１１０ｄに接続されている点である。給電装置１００ｄの他の部分の構成は、図５、図６の給電装置１００ｂ、１００ｃの対応する部分の構成と同じである（対応する要素と同じ要素には、同じ符号を付して、説明を省略する）。
【００５９】
図７（Ａ）、図７（Ｂ）は、給電装置１００ｄの斜視図である。第１壁部１５１ｄは、台座部１１０ｄの台座面１１１ｄの左上の角の位置（具体的には、左方向ＤＬ側、かつ、上方向ＤＵ側、かつ、前面方向ＤＦ側の角の位置）に配置されている。第２壁部１５２ｄは、台座面１１１ｄの左下の角の位置（具体的には、左方向ＤＬ側、かつ、下方向ＤＤ側、かつ、前面方向ＤＦ側の角の位置）に配置されている。台座部１１０ｄは、これらの壁部１５１ｄ、１５２ｄを収容する凹部１１６ｄ、１１７ｄを有している。図７（Ａ）は、壁部１５１ｄ、１５２ｄが、それぞれ、凹部１１６ｄ、１１７ｄ内に配置された第２状態を示し、図７（Ｂ）は、壁部１５１ｄ、１５２ｄが、凹部１１６ｄ、１１７ｄの外に移動した第１状態を示している。壁部１５１ｄ、１５２ｄは、板状の部材である。図７（Ａ）の第２状態では、壁部１５１ｄ、１５２ｄは、前面方向ＤＦに略垂直である。また、壁部１５１ｄ、１５２ｄの前面方向ＤＦ側の面１５１ｄｓ、１５２ｄｓは、台座部１１０ｄの台座面１１１ｄに連続している（すなわち、面１５１ｄｓ、１５２ｄｓと台座面１１１ｄとは、同じ平面に含まれる）。第１壁部１５１ｄと第２壁部１５２ｄとの間には、台座面１１１ｄの一部が位置している。
【００６０】
ヒンジ１６０は、壁部１５１ｄ、１５２ｄの左方向ＤＬ側の部分と、台座部１１０ｄの左方向ＤＬ側の部分と、の間に配置されており、両者を、下方向ＤＤに平行な軸を中心に回動可能に接続している。図７（Ｂ）の第１状態は、図７（Ａ）の第２状態から、壁部１５１ｄ、１５２ｄが、ヒンジ１６０の軸を中心に、前面方向ＤＦ側に向かって回動した状態である（回動可能な角度は、９０度よりも小さく、例えば、５０度以上、８５度以下）。図７（Ｃ）は、下方向ＤＤを向いて見た第１状態の給電装置１００ｄの概略図である。図示するように、第１状態では、壁部１５１ｄ、１５２ｄは、台座部１１０ｄの台座面１１１ｄから離れる方向側（ここでは、前面方向ＤＦ側）に突出している。また、壁部１５１ｄ、１５２ｄは、ヒンジ１６０から、台座面１１１ｄに対して斜めに、右方向ＤＲと前面方向ＤＦとの間の方向に向かって突出している。壁部１５１ｄ、１５２ｄと台座部１１０ｄとは、壁部１５１ｄ、１５２ｄと台座部１１０ｄとの間の空間を囲む凹部４００を形成している。なお、図７（Ａ）の第２状態は、図７（Ｂ）の第１状態と比べて、壁部１５１ｄ、１５２ｄの突出量が小さい状態である。ヒンジ１６０は、壁部１５１ｄ、１５２ｄを、第１状態と第２状態との間で回動可能に（すなわち、移動可能に）支持している。ユーザは、壁部１５１ｄ、１５２ｄを操作することで、第１状態と第２状態との間の切り替えを行うことができる。
【００６１】
図７（Ｂ）中の点線で示される四角形は、電子機器９００を簡略化して示したものである。電子機器９００と給電装置１００ｄの給電接続部２３０ｂとは、ケーブル２３２ｘで接続されている。図７（Ｄ）は、第１状態の給電装置１００ｄの台座面１１１ｄ上に電子機器９００が配置された状態を示している。図７（Ｂ）、図７（Ｄ）の例では、電子機器９００が台座面１１１ｄ上に載った状態で、電子機器９００の左方向ＤＬの辺部９９３が、壁部１５１ｄ、１５２ｄの外形を形成する外面のうちの右方向ＤＲ側の面に接触する（接触する部分は、点または線または面であり得る）。この結果、第５実施例では、第１実施例と同様に、給電装置１００ｄと電子機器９００とを手で持つ場合に、給電装置１００ｄと電子機器９００との相対的な位置関係を、安定化できる。
【００６２】
また、電子機器９００の辺部９９３は、台座部１１０ｄと壁部１５１ｄ、１５２ｄとで形成された凹部４００内に挿入されている。壁部１５１ｄ、１５２ｄは、電子機器９００の辺部９９３が前面方向ＤＦ側に移動することと左方向ＤＬ側に移動することとを抑制する。この結果、給電装置１００ｄと電子機器９００との相対的な位置関係を、更に、安定化できる。
【００６３】
なお、壁部１５１ｄ、１５２ｄの図７（Ａ）の状態からの回動可能な角度は、９０度以上であってもよい。この場合、回動した壁部１５１ｄ、１５２ｄを、図７（Ａ）の状態に近づく回動方向に付勢する弾性体（例えば、バネやゴム）が設けられていることが好ましい。これにより、電子機器９００が壁部１５１ｄ、１５２ｄに向かって押しつけられた場合に、電子機器９００が壁部１５１ｄ、１５２ｄよりも左方向ＤＬ側へ移動することを抑制できる。
【００６４】
また、給電装置１００ｄには、互いに異なる位置に配置され、そして、互いに独立に回動可能な複数の壁部が設けられていてもよい。ユーザは、複数の壁部のうちの好みの一部の壁部のみを、台座面１１１ｄの前面方向ＤＦ側に向かって回動させてもよい。
【００６５】
図８は、第６実施例の給電装置１００ｅの概略図である。図７の給電装置１００ｄとの差異は、回動可能な壁部１５１ｄ、１５２ｄが省略され、この代わりに、スライド可能な壁部１５１ｅ、１５２ｅが設けられている点だけである。給電装置１００ｅの他の部分の構成は、図７の給電装置１００ｄの対応する部分の構成と同じである（対応する要素と同じ要素には、同じ符号を付して、説明を省略する）。
【００６６】
図８（Ａ）、図８（Ｂ）は、給電装置１００ｅの斜視図である。台座部１１０ｅの左方向ＤＬ側の面である左面１０３ｅには、前面方向ＤＦに沿って延びる２個の溝１１６ｅ、１１７ｅが形成されている。壁部１５１ｅ、１５２ｅは、これらの溝１１６ｅ、１１７ｅに、それぞれ嵌め込まれている。壁部１５１ｅ、１５２ｅは、溝１１６ｅ、１１７ｅに沿って前面方向ＤＦに平行にスライド可能である。図８（Ａ）は、壁部１５１ｅ、１５２ｅの全体が溝１１６ｅ、１１７ｅ内に収容された第２状態を示している。この状態で、壁部１５１ｅ、１５２ｅの前面方向ＤＦ側の面である前面１５１ｅｓ、１５２ｅｓは、台座部１１０ｅの台座面１１１ｅに連続している。
【００６７】
図８（Ｂ）は、壁部１５１ｅ、１５２ｅが前面方向ＤＦに移動した第１状態を示している。この第１状態では、壁部１５１ｅ、１５２ｅのそれぞれは、台座面１１１ｅから前面方向ＤＦ側に突出している。図８（Ａ）の第２状態は、図８（Ｂ）の第１状態と比べて、壁部１５１ｅ、１５２ｅの突出量が小さい状態である。溝１１６ｅ、１１７ｅは、壁部１５１ｅ、１５２ｅを、第１状態と第２状態との間でスライド可能に（すなわち、移動可能に）支持している。ユーザは、壁部１５１ｅ、１５２ｅを操作することで、第１状態と第２状態との間の切り替えを行うことができる。
【００６８】
図８（Ｂ）中の点線で示される四角形は、電子機器９００を簡略化して示したものである。電子機器９００と給電装置１００ｅの給電接続部２３０ｂとは、ケーブル２３２ｘで接続されている。図８（Ｂ）の第１状態では、電子機器９００が台座部１１０ｅの台座面１１１ｅ上に載った状態で、電子機器９００の左方向ＤＬの辺部９９３が、壁部１５１ｅ、１５２ｅの右方向ＤＲ側の面に接触する。この結果、本実施例では、第１実施例と同様に、給電装置１００ｅと電子機器９００とを手で持つ場合に、給電装置１００ｅと電子機器９００との相対的な位置関係を、安定化できる。
【００６９】
なお、図３（Ｄ）の電子機器９００ａのように、電子機器９００の大きさと形とが異なる電子機器を用いる場合にも、図７（Ｂ）、図８（Ｂ）の例と同様に、ユーザは、電子機器９００ａの背面と１個の辺部とを、台座部１１０ｄ、１００ｅと壁部１５１ｄ、１５２ｄ、１５１ｅ、１５２ｅとに接触させることによって、安定的に給電装置１００ｄ、１００ｅと電子機器９００ａとを持つことができる。
【００７０】
また、壁部１５１ｄ、１５２ｄ、１５１ｅ、１５２ｅを第２状態にすることによって、給電装置１００ｄ、１００ｅを運ぶ場合の可搬性を向上できる。
【００７１】
また、図７（Ｂ）、図８（Ｂ）に示すように、給電スイッチ２２５と表示部２４５とは、台座面１１１ｄ、１１１ｅ上のうちの電子機器９００に隠れない部分に設けられている。従って、ユーザは、給電装置１００ｄ、１００ｅに電子機器を重ねた状態で、給電スイッチ２２５を操作でき、また、表示部２４５を視認できる。
【００７２】
また、給電装置１００ｅには、互いに異なる位置に配置された３個以上のスライド可能な壁部が設けられていてもよい。ユーザは、複数の壁部のうちの好みの一部の壁部のみを、台座面１１１ｅの前面方向ＤＦ側にスライドさせてもよい。
【００７３】
Ｆ．第７実施例：
図９は、第７実施例の給電装置１００ｆの概略図である。図１の給電装置１００との差異は、壁部１５０ｆの右面１５４ｆに、電子機器の周縁部の一部分を受け入れるための凹部１５８が形成され、壁部１５０ｆは、この凹部１５８内に配置された弾性部１５７を含んでいる点だけである。給電装置１００ｆの他の部分の構成は、図１の給電装置１００の対応する部分の構成と同じである（対応する要素と同じ要素には、同じ符号を付して、説明を省略する）。
【００７４】
図９（Ａ）は、給電装置１００ｆの斜視図である。図９（Ｂ）は、下方向ＤＤを向いて見た給電装置１００ｆの概略図である。図示するように、壁部１５０ｆの右面１５４ｆは、凹部１５８を形成している。この凹部１５８は、左方向ＤＬに向かって凹んでいる。この凹む方向（ここでは、左方向ＤＬ）は、台座面１１１に平行であり、また、台座面１１１の中央部から壁部１５０ｆに向かう方向である。この凹部１５８は、壁部１５０ｆの上方向ＤＵ側の端から下方向ＤＤ側の端まで延びている。この凹部１５８内に、弾性部１５７が配置されている。弾性部１５７は、弾性材料（例えば、シリコーン）で形成されている。
【００７５】
図９（Ｃ）は、給電装置１００ｆに対する電子機器９００の配置の例を示す概略図である。図中には、下方向ＤＤを向いて見た給電装置１００ｆと電子機器９００とが示されている。図示するように、電子機器９００の背面９０２が台座部１１０の台座面１１１に載った状態で、電子機器９００の左方向ＤＬ側の辺部９９３が、壁部１５０ｆの凹部１５８内に挿入されている。また、辺部９９３は、凹部１５８内で、弾性部１５７に接触している。弾性部１５７は、辺部９９３の形状に合わせて弾性変形している。
【００７６】
このように、本実施例では、電子機器９００の辺部９９３が、壁部１５０ｆの凹部１５８に挿入されている。凹部１５８は、電子機器９００の辺部９９３が前面方向ＤＦ側に移動することを抑制する。この結果、給電装置１００ｆと電子機器９００との相対的な位置関係を、更に、安定化できる。
【００７７】
また、壁部１５０ｆの弾性部１５７が、電子機器９００に接触する。従って、壁部１５０ｆ（特に弾性部１５７）と電子機器９００との接触面積が増大するので、壁部１５０ｆに対して電子機器９００が滑ることを抑制できる（弾性部１５７は、滑り止め部といえる）。この結果、給電装置１００ｆと電子機器９００とを手で持つ場合に、給電装置１００ｆと電子機器９００との相対的な位置関係を、安定化できる。また、電子機器９００に傷がつくことを抑制できる。
【００７８】
なお、図３（Ｄ）の電子機器９００ａのように、電子機器９００と大きさと形とが異なる電子機器を用いる場合にも、図９（Ｃ）の例と同様に、ユーザは、電子機器９００ａの背面と１個の辺部とを、台座部１１０と壁部１５０ｆとに接触させることによって、安定的に給電装置１００ｆと電子機器９００ａとを持つことができる。
【００７９】
また、弾性部１５７が省略されてもよい。また、凹部１５８のように電子機器を受け入れる凹部は、他の実施例の壁部（例えば、図６の壁部１５０ｃ）に設けられてもよい。そして、そのような凹部内に、弾性部１５７のように電子機器の形状に合わせて弾性変形する弾性部が設けられてもよい。
【００８０】
Ｇ．第８実施例：
図１０は、第８実施例の給電装置１００ｇの斜視図である。図１の給電装置１００との差異は、壁部１５０ｇが、壁部１５０ｇ内にバッテリ５９０を収容するための収容室５００を有している点である。給電装置１００ｇの他の部分の構成は、図１の給電装置１００の対応する部分の構成と同じである（対応する要素と同じ要素には、同じ符号を付して、説明を省略する）。
【００８１】
壁部１５０ｇの上方向ＤＵ側には、収容室５００へ通じる開口５１０を閉じるための蓋５２０が設けられている。ユーザは、蓋５２０を開けることによって、収容室５００にバッテリ５９０を挿入できる。バッテリ５９０は、例えば、ＩＥＣ（国際電気標準会議）で規定されたＲ６型のバッテリである。図１０の実施例では、収容室５００は、２個のバッテリ５９０を収容できる。図示を省略するが、収容室５００に収容されたバッテリ５９０は、給電回路２２０（図２）に接続される。本実施例では、給電回路２２０は、台座部１１０に収容されたバッテリ２１０が切れた場合には、収容室５００に収容されたバッテリ５９０からの電力を用いて、所定の出力電圧で、電力を電子機器に供給するように、構成されている。このような給電回路２２０の構成としては、公知の種々の構成を採用可能である（例えば、ＤＣ−ＤＣコンバータと、バッテリ２１０とバッテリ５９０との一方をＤＣ−ＤＣコンバータに電気的に接続する半導体スイッチと、を含む構成）。
【００８２】
なお、収容室５００に収容可能なバッテリ５９０としては、Ｒ６型のバッテリとは異なる他の種類のバッテリを採用してもよい。一般的には、広く流通している汎用のバッテリを採用することが好ましい。このようなバッテリを採用すれば、ユーザは、容易にバッテリ５９０を入手できるので、台座部１１０内のバッテリ２１０が切れた場合でも、容易に、電子機器に給電できる。また、収容室５００は、ユーザがバッテリ５９０を交換可能であるように、構成されていることが好ましい。例えば、蓋５２０のように、ユーザが開けることが可能な蓋が収容室５００に設けられていることが好ましい。
【００８３】
Ｈ．第９実施例：
図１１は、第９実施例の概略図である。この実施例では、給電装置の台座部の背面方向ＤＢ側に、指をかけることが可能な立体部分が設けられている（「指掛け部」と呼ぶ）。図１１（Ａ）は、第９実施例の給電装置１００ｈの斜視図である。図１の給電装置１００との差異は、２つある。第１の差異は、図１（Ｃ）の凹部１０５と給電接続部２３０とケーブル２３２とが省略され、代わりに、台座部１１０ｈの背面１１２ｈが、ケーブル２３２ｘを収容するための前面方向ＤＦに向かって凹んだ凹部６００を形成している点である。凹部６００は、上方向ＤＵに沿って延びるように形成されている。凹部６００は、背面１１２ｈに固定されている、ともいえる。第２の差異は、図５の実施例と同様に、給電接続部２３０ｂと充電接続部２５０とが、台座部１１０ｈの下方向ＤＤ側の面に設けられている点である。給電装置１００ｈの他の部分の構成は、第１実施例の給電装置１００の対応する部分の構成と同じである（対応する要素と同じ要素には、同じ符号を付して、説明を省略する）。
【００８４】
図１１（Ｂ）は、給電装置１００ｈに対して電子機器９００が配置された状態を示す斜視図である。この配置は、図３（Ａ）の配置と同じである。ケーブル２３２ｘは、凹部６００から取り出され、そして、給電装置１００ｈの給電接続部２３０ｂと電子機器９００とを接続している。
【００８５】
図１１（Ｃ）は、図１１（Ｂ）の給電装置１００ｈと電子機器９００とを手に持った状態の例を示す概略図である。図中には、下方向ＤＤを向いて見た状態が示されている。この例では、ユーザは、重ねられた給電装置１００ｈと電子機器９００とを、片手で持っている。親指は、電子機器９００の右方向ＤＲ側の辺部９９４に接触している。また、他の指の指先が、台座部１１０ｈの背面方向ＤＢ側の凹部６００に挿入されている。このように、ユーザは、台座部１１０ｈの凹部６００に指先をかけることができるので、電子機器９００と給電装置１００ｈとを手で持つ場合に、電子機器９００と給電装置１００ｈとの相対的な位置関係を安定化できる。また、図３（Ｄ）の電子機器９００ａのように、大きさと形とが異なる電子機器を用いる場合にも、図１１（Ｃ）の例と同様に、ユーザは、安定的に給電装置１００ｈと電子機器９００ａとを持つことができる。なお、凹部６００の形状は、ケーブル２３２ｘに合わせた形状に代えて、他の形状であってもよい。例えば、指の形状に合わせた形状を採用してもよい。
【００８６】
Ｉ．第１０〜第１４実施例：
図１２〜図１６は、第１０〜第１４実施例の給電装置１００ｉ〜１００ｎの概略図である。図１１の給電装置１００ｈとの差異は、台座部の背面方向ＤＢ側に設けられた、指をかけることが可能な指掛け部の構成が、図１１（Ａ）の凹部６００と異なっている点だけである。この指掛け部以外の部分の構成は、図１１の給電装置１００ｈの対応する部分の構成と同じである（対応する要素と同じ要素には、同じ符号を付して、説明を省略する）。
【００８７】
図１２（Ａ）は、第１０実施例の１００ｉの斜視図である。第１０実施例では、指掛け部として、板部６１０と、板部６１０を回動可能に台座部１１０ｉの背面１１２ｉに接続する２個のヒンジ６２０と、板部６１０を収容する凹部６３０と、が設けられている。
【００８８】
板部６１０は、背面１１２ｉ上の略中央部分に配置され、上方向ＤＵに平行な方向に沿って延びる略矩形状の板部材である。２個のヒンジ６２０は、板部６１０の上方向ＤＵ側と下方向ＤＤ側とに配置されており、いずれも、板部６１０の右方向ＤＲ側の部分と台座部１１０ｉの背面１１２ｉとを接続している。ヒンジ６２０は、板部６１０を、上方向ＤＵに平行な軸を中心に回動可能である。図１２（Ａ）の状態では、板部６１０は、背面１１２ｉに略平行であり、背面１１２ｉに設けられた凹部６３０内に収容されている。
【００８９】
図１２（Ｂ）は、板部６１０が凹部６３０の外に移動した第３状態を示している。この第３状態は、図１２（Ａ）の状態である第４状態から、板部６１０が、ヒンジ６２０の軸を中心に、背面方向ＤＢ側に向かって回動した状態である（回動可能な角度は、９０度以下である）。第３状態では、板部６１０は、台座部１１０ｉの背面１１２ｉから離れる方向側（ここでは、背面方向ＤＢ側）に突出している。図１２（Ａ）の第４状態は、図１２（Ｂ）の第３状態と比べて、板部６１０の突出量が小さい状態である。ヒンジ６２０は、板部６１０を、第３状態と第４状態との間で回動可能に（すなわち、移動可能に）支持している。ユーザは、板部６１０を操作することで、第３状態と第４状態との間の切り替えを行うことができる。
【００９０】
また、図１２（Ｂ）には、図１１（Ｂ）と同じ配置の電子機器９００が示されている。ユーザは、板部６１０に指をかけることができるので、図１１（Ｃ）の実施例と同様に、電子機器９００と給電装置１００ｉとを手で持つ場合に、電子機器９００と給電装置１００ｉとの相対的な位置関係を安定化できる。
【００９１】
なお、板部６１０の図１２（Ａ）の状態からの回動可能な角度は、９０度以上であってもよい。この場合、回動した板部６１０を、図１２（Ａ）の状態に近づく回動方向に付勢する弾性体（例えば、バネやゴム）が設けられていることが好ましい。これにより、板部６１０に指をかけた場合に、指が板部６１０から離れることを抑制できる。
【００９２】
また、給電装置１００ｉには、互いに異なる位置に配置され、そして、互いに独立に回動可能な複数の板部が設けられていてもよい。ユーザは、複数の板部のうちの好みの一部の板部（例えば、指を掛けやすい位置の板部）のみを、台座部１１０ｉの背面１１２ｉの背面方向ＤＢ側に向かって回動させてもよい。
【００９３】
図１３は、第１１実施例の給電装置１００ｊの斜視図である。第１１実施例では、指掛け部として、リング部６４０が設けられている。リング部６４０は、リング状に形成された部材である。リング部６４０は、台座部１１０ｊの背面１１２ｊ上の略中央部分に固定されている。図中には、図１１（Ｂ）と同じ配置の電子機器９００が示されている。ユーザは、リング部６４０に指を通すことによってリング部６４０に指を掛けることができるので、図１１（Ｃ）の実施例と同様に、電子機器９００と給電装置１００ｊとを手で持つ場合に、電子機器９００と給電装置１００ｊとの相対的な位置関係を安定化できる。
【００９４】
図１４は、第１２実施例の給電装置１００ｋの斜視図である。第１２実施例では、台座部１１０ｋの背面１１２ｋは、指掛け部として、前面方向ＤＦに向かって凹んだ凹部６５２と、凹部６５２の右方向ＤＲ側に隣接する背面方向ＤＢに向かって突出した凸部６５４と、を形成している。凹部６５２と凸部６５４とは、上方向ＤＵに沿って延びるように形成されている。凹部６５２と凸部６５４とは、台座部１１０ｋの背面１１２ｋに固定されている、ともいえる。図中には、図１１（Ｂ）と同じ配置の電子機器９００が示されている。ユーザは、凹部６５２に指先を挿入することによって、凹部６５２と凸部６５４とに指をかけることができるので、図１１（Ｃ）の実施例と同様に、電子機器９００と給電装置１００ｋとを手で持つ場合に、電子機器９００と給電装置１００ｋとの相対的な位置関係を安定化できる。
【００９５】
図１５（Ａ）は、第１３実施例の給電装置１００ｍの斜視図である。第１３実施例では、指掛け部として、着脱可能な棒部６６０が設けられている。図中の方向ＤＵ、ＤＤ、ＤＲ、ＤＬ、ＤＦ、ＤＢを示す矢印は、台座部１１０ｍの向きを示している。棒部６６０に関しては、前面方向ＤＦ側の面を示す斜視図（別の方向から見た斜視図）が示されている。台座部１１０ｍの背面１１２ｍには、棒部６６０を着脱可能に取り付けるための２個の前面方向ＤＦに向かって凹んだ凹部６６４が設けられている。２個の凹部６６４は、台座部１１０ｍの背面１１２ｍの略中央部分に、上方向ＤＵに沿って離れて並ぶように、配置されている。棒部６６０の前面方向ＤＦ側の面には、２個の凹部６６４に嵌めるための前面方向ＤＦに向かって突出した２個の突出部６６２が設けられている。このように、２個の凹部６６４は、棒部６６０を着脱可能に取り付けるための取り付け部の例である、ということができる。
【００９６】
図１５（Ｂ）は、棒部６６０の２個の突出部６６２を、台座部１１０ｍの２個の凹部６６４に嵌めた状態を示す斜視図である。この状態で、棒部６６０は、背面１１２ｍの略中央部に固定されており、上方向ＤＵに沿って延びており、背面１１２ｍから背面方向ＤＢ側に突出している。図中には、図１１（Ｂ）と同じ配置の電子機器９００が示されている。ユーザは、棒部６６０に指をかけることができるので、図１１（Ｃ）の実施例と同様に、電子機器９００と給電装置１００ｍとを手で持つ場合に、電子機器９００と給電装置１００ｍとの相対的な位置関係を安定化できる。
【００９７】
図１６（Ａ）、図１６（Ｂ）は、第１４実施例の給電装置１００ｎの斜視図である。第１４実施例では、指掛け部として、背面方向ＤＢに平行な方向にスライド可能な壁部６７０が設けられている。壁部６７０は、上方向ＤＵに沿って延びる略直方体の部材である。台座部１１０ｎの背面１１２ｎには、壁部６７０を収容するための前面方向ＤＦに向かって凹んだ凹部６７２が形成されている。図１６（Ａ）は、壁部６７０が凹部６７２内に収容された第４状態を示し、図１６（Ｂ）は、壁部６７０が背面方向ＤＢに移動した第３状態を示している。図１６（Ｂ）の第３状態では、壁部６７０は、背面１１２ｎから背面方向ＤＢ側に突出している。図１６（Ａ）の第４状態は、図１６（Ｂ）の第３状態と比べて、壁部６７０の突出量が小さい状態である。凹部６７２は、壁部６７０を、第３状態と第４状態との間でスライド可能に支持している。ユーザは、この凹部６７４に指を挿入することによって、図１６（Ａ）の状態の壁部６７０をつまむことができる。そして、ユーザは、壁部６７０を背面方向ＤＢに引っ張ることによって、図１６（Ａ）の状態の壁部６７０を、図１６（Ｂ）のように凹部６７２から引き出すことができる。また、ユーザは、図１６（Ｂ）の状態の壁部６７０を前面方向ＤＦに押すことによって、図１６（Ａ）のように壁部６７０を凹部６７２内に収容できる。凹部６７２は、第３状態と第４状態との間でスライド可能に壁部６７０を支持している。
【００９８】
図１６（Ｂ）には、図１１（Ｂ）と同じ配置の電子機器９００が示されている。ユーザは、壁部６７０に指をかけることができるので、図１１（Ｃ）の実施例と同様に、電子機器９００と給電装置１００ｎとを手で持つ場合に、電子機器９００と給電装置１００ｎとの相対的な位置関係を安定化できる。
【００９９】
なお、給電装置１００ｎには、互いに異なる位置に配置され、そして、互いに独立にスライド可能な複数の壁部が設けられていてもよい。ユーザは、複数の壁部のうちの好みの一部の壁部（例えば、指を掛けやすい位置の壁部）のみを、台座部１１０ｎの背面１１２ｎの背面方向ＤＢ側に向かって移動させてもよい。
【０１００】
なお、図１２〜図１６のいずれの実施例においても、図３（Ｄ）の電子機器９００ａのように、大きさと形とが異なる種々の電子機器を用いることができる。この場合も、ユーザは、安定的に給電装置と電子機器とを持つことができる。
【０１０１】
Ｊ．変形例：
（１）壁部を台座部に着脱可能に取り付ける取り付け部の構成としては、図５の凹部１１３、１１４と突出部１５９や、図６の凹部１１３、１１４と壁部１５０ｃとに代えて、他の種々の構成を採用可能である。例えば、面ファスナーを用いてもよい。また、図６の壁部１５０ｃに雄ねじが形成され、凹部１１３、１１４に雌ねじが形成されてもよい。いずれの場合も、台座部は、壁部を着脱可能に取り付けることが可能であり、かつ、互い異なる位置に形成された複数の取り付け部を有することが好ましい。これによれば、ユーザは、複数の取り付け部から任意に選択した取り付け部に、壁部を取り付けることができる。従って、電子機器と給電装置とを手で持つ場合に、電子機器と給電装置との相対的な位置関係を、電子機器の機種に拘わらずに、安定化できる。また、形状や色などのデザインが異なる複数種類の壁部が提供されてもよい。ユーザは、複数種類の壁部のうちの好みの壁部を、台座部に取り付けることができる。また、ユーザは、壁部を、好みの他の種類の壁部に、容易に交換できる。
【０１０２】
（２）壁部を、台座部の台座面から離れる方向側に突出した第１状態と、第１状態と比べて突出量が小さい第２状態と、の間で移動可能に支持する支持部の構成としては、図７のヒンジ１６０や、図８の溝１１６ｅ、１１７ｅに代えて、他の種々の構成を採用可能である。例えば、壁部をスライド可能に支持する有底の穴や台座部を貫通する貫通孔を採用してもよい。また、第２状態において、壁部の一部が台座面から突出していてもよい。また、給電装置に、互いに異なる位置に配置された複数の壁部が設けられてもよい。そして、１個以上の支持部が、複数の壁部のうちの一部の壁部のみを移動可能（例えば、スライド可能、回動可能）に支持し、残りの壁部は、前面方向ＤＦに向かって突出した状態で台座部に固定されていてもよい。ここで、１個の支持部は、１個の壁部のみを支持してもよく、複数の壁部を支持してもよい。
【０１０３】
（３）滑り止め部３００（図１など）の材料としては、シリコーンに代えて、他の種々の材料を採用可能である。例えば、シリコーンと、エラストマーと、ウレタンと、天然ゴムと、合成ゴムと、ポリウレタンと、ＥＶＡ樹脂（エチレン・酢酸ビニル共重合樹脂）と、のうちの１以上の材料を用いてもよい。また、一般的には、電子機器の形状に合わせて弾性変形可能な弾性材料を採用することが好ましい。また、滑り止め部は、壁部と電子機器との接触部分の全体に設けられていてもよく、この代わりに、接触部分の一部分に設けられていてもよい。また、滑り止め部は、図１、図５などの実施例に限らず、他の実施例（例えば、図６、図７、図８の実施例）の壁部に設けられてもよい。また、滑り止め部の構成としては、壁部に対して電子機器が滑ることを抑制する滑り止め機能を備える任意の構成を採用可能である。ここで、滑り止め機能を備える構成としては、上記のような弾性材料で形成される構成に代えて、他の種々の構成を採用可能である。例えば、壁部のうちの電子機器に接触する接触部分に複数の凸部と複数の凹部との少なくとも一方を形成した構成を採用してもよい。また、給電装置の壁部に電子機器を接触させた状態で給電装置と電子機器とを手に持った場合に、壁部に対して電子機器が滑らない程度の静止摩擦係数を有する材料で、壁部の接触部分を形成してもよい。ただし、滑り止め部を省略してもよい。
【０１０４】
（４）図１０で説明したような収容室５００は、図１０の実施例に限らず、他の実施例にも適用可能である。例えば、図１、図１１〜図１６の実施例に、収容室５００を設けてもよい。
【０１０５】
（５）台座部の背面方向ＤＢ側に位置するように構成された指掛け部の構成としては、図１１〜図１６の実施例の指掛け部の構成に限らず、指をかけることが可能な種々の構成（例えば、立体的な形状を有する部分）を採用可能である。例えば、台座部の背面上の第１位置と第２位置とを結ぶゴムなどの弾性材料のバンドを用いてもよい。例えば、リング状の部分の少なくとも一部が、ゴムなどの弾性材料で形成されていてもよい。また、複数個の凸部分と複数個の凹部分とを含む立体形状を形成する立体部材が、着脱可能に台座部に取り付けられてもよい。ここで、１つの給電装置に対して、デザインが異なる複数種類の立体部材が利用可能であってもよい。また、凸部分と凹部分とリング状の部分とのうちの任意の２以上の部分が、１つの給電装置に設けられていてもよい。また、給電装置に、互いに異なる位置に配置された複数の指掛け部が設けられてもよい。そして、１個以上の支持部が、複数の指掛け部のうちの一部の指掛け部のみを移動可能（例えば、スライド可能、回動可能）に支持し、残りの指掛け部は、台座部に固定されていてもよい。ここで、１個の支持部は、１個の指掛け部のみを支持してもよく、複数の指掛け部を支持してもよい。また、このような指掛け部は、図１１〜図１６の実施例に限らず、他の実施例（例えば、図４〜図１０の実施例）に、設けられてもよい。
【０１０６】
（６）台座部の材料としては、樹脂、金属などの種々の材料を採用可能である。同様に、台座部の前面方向ＤＦ側に設けられる壁部の材料としては、樹脂、金属などの種々の材料を採用可能である。また、台座部の背面方向ＤＢ側に設けられる指掛け部の材料としても、樹脂、金属などの種々の材料を採用可能である。
【０１０７】
（７）電子機器の形状は、略直方体に限らす、円盤状など他の種々の形状であってよい。いずれの場合も、給電装置の壁部は、電子機器の周縁部のうち、台座面に平行な１つの方向を向いて電子機器を観察する場合に視認される部分のみ（すなわち、周縁部のうち一方向側の部分のみ）に接触するように構成されていることが好ましい。この構成によれば、大きさと形とが異なる種々の電子機器に対して、１つの給電装置を共通に利用することができる。例えば、図４の実施例では、壁部１５０、１９０は、周縁部９９０のうちの、右方向ＤＲと上方向ＤＵとの間の１つの斜め方向を向いて電子機器９００を観察する場合に視認される辺部９９２と辺部９９３とのみに接触しているといえる。
【０１０８】
ここで、図３などの実施例のように、電子機器の周縁部が給電装置の壁部に接触した状態で、電子機器の一部が台座部の外にはみ出るように、台座部が構成されていてもよい。この構成によれば、ユーザは、電子機器の周縁部のうちの台座部の外にはみ出た部分に指を容易に接触させることができるので、給電装置と電子機器とを手で持つ場合に、給電装置と電子機器との相対的な位置関係を、安定化できる。
【０１０９】
（８）給電装置は、電子機器に電力を供給する回路に加えて、電子機器と連携して動作する他の種々の回路を含んでもよい。例えば、給電装置は、電子機器からの音信号を増幅するアンプ回路を備えていてもよい。また、給電装置は、ＳＤカードなどのメモリカードを装着するためのスロットと、スロットに装着されたメモリカードの記憶領域を他の装置と共有するデータ共有機能を実現するデータ処理部（例えば、コンピュータ）と、他の装置とデータ共有機能を実現するデータ処理部とを通信させるための通信処理部（例えば、ＩＥＥＥ８０２．１１規格に準拠した無線ＬＡＮ通信回路）と、を備えてもよい。
【０１１０】
（９）給電装置を制御するための操作部としては、給電スイッチ２２５（図１など）に代えて、レバーやタッチパネルなどのユーザによる操作を受け入れる種々の装置を採用可能である。また、操作部によって制御可能な機能としては、電子機器への給電開始に代えて、バッテリ２１０への充電開始などの他の機能を採用してもよい。また、上記のアンプのボリュームが操作部として設けられてもよい。また、上記のデータ共有機能を実現するデータ処理部と、通信処理部とが、操作部を介して制御されてもよい。
【０１１１】
また、給電装置の状態を表示する表示部としては、複数個のＬＥＤに代えて、液晶ディスプレイなどの情報を表示可能な種々の装置を採用可能である。また、表示部によって表示される情報としては、バッテリ２１０の残量に代えて、バッテリ２１０の充電完了までの時間や給電接続部を流れる電流値などの他の情報を採用してもよい。また、表示部は、上記の無線ＬＡＮの状態を表示してもよい。
【０１１２】
いずれの場合も、操作部と表示部との少なくとも一方を省略してもよい。
【０１１３】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１１４】
１００、１００ａ〜１００ｎ...給電装置、１０３、１０３ｅ...左面、１０５...凹部、１１０、１１０ｂ〜１１０ｎ...台座部、１１１、１１１ｂ、１１１ｄ、１１１ｅ...台座面、１１２、１１２ｈ〜１１２ｎ...背面、１１３、１１４、１１５、１１６ｄ...凹部、１１６ｅ...溝、１１８ｂ...端部、１１９...外壁、１５０、１５０ｂ、１５０ｃ、１５０ｆ、１５０ｇ、１５１ｄ、１５１ｅ、１５２ｄ、１９０...壁部、１５７...弾性部、１５８...凹部、１５９...突出部、１６０...ヒンジ、２１０...バッテリ、２２０...給電回路、２２５...給電スイッチ、２３０...給電接続部、２３０ｂ...給電接続部、２３２、２３２ｘ...ケーブル、２４０...充電回路、２４５...表示部、２５０...充電接続部、３００...滑り止め部、４００...凹部、５００...収容室、５１０...開口、５２０...蓋、５９０...バッテリ、６００...凹部、６１０...板部、６２０...ヒンジ、６３０...凹部、６４０...リング部、６５２...凹部、６５４...凸部、６６０...棒部、６６２...突出部、６６４...凹部、６７０...壁部、６７２...凹部、６７４...凹部、９００、９００ａ、９００ｂ...電子機器、９０１...前面、９０２...背面、９１０...ディスプレイ、９２０...ボタン、９８０...レセプタクル、９９０、９９０ａ、９９０ｂ...周縁部、９９１〜９９４、９９１ｂ、９９３ａ、９９３ｂ、９９４ｂ...短辺部、９９５〜９９８...角部、ＤＢ...背面方向、ＤＤ...下方向、ＤＦ...前面方向、ＤＬ...左方向、ＤＲ...右方向、ＤＵ...上方向
【図１】
0006601210.tif 000002
【図２】
0006601210.tif 000003
【図３】
0006601210.tif 000004
【図４】
0006601210.tif 000005
【図５】
0006601210.tif 000006
【図６】
0006601210.tif 000007
【図７】
0006601210.tif 000008
【図８】
0006601210.tif 000009
【図９】
0006601210.tif 000010
【図１０】
0006601210.tif 000011
【図１１】
0006601210.tif 000012
【図１２】
0006601210.tif 000013
【図１３】
0006601210.tif 000014
【図１４】
0006601210.tif 000015
【図１５】
0006601210.tif 000016
【図１６】
0006601210.tif 000017